(57)【要約】    【課題】  メイン回路部の配置の自由度を確保しつつメイン回路部の保守点検作業を容易にする。    【解決手段】  鍵盤部４１の鍵盤ユニット保持部１６Ｌａ、１６Ｒａへの螺着と、鍵盤部４１及びメイン回路部４０間のロックとを解除し、鍵盤部４１の前部４１ｂを持ち上げて開け、前部４１ｂを２本の支持棒４４で上前半部フレーム１２Ｌ、１２Ｒに支持させる。このとき、鍵盤部４１の後端面４１ｃａが、Ｌ字金具４７Ｌ、４７Ｒの後部上端部４７Ｌａ、４７Ｒａに対して当接点Ｐ１で当接係合し、鍔部４３Ｒ、４３Ｌの下面が、両フレーム体ＲＦＭ、ＬＦＭの後部上端部に対して点Ｐ２で近接する。鍵盤部４１とメイン回路部４０との間に生じる開口ＯＰから、メイン回路部４０内の回路及び部品群４６の保守点検を行う。【選択図】    図５
2005099444.tif 000002
【特許請求の範囲】
【請求項１】
メイン回路部と、該メイン回路部とは別体で構成された鍵盤部とを積層または並設して成る鍵盤ユニットと、
前記鍵盤ユニットを保持する楽器用フレームと、
支持部材とを有し、
前記楽器用フレームに保持された前記鍵盤ユニットのうち前記鍵盤部の前部を持ち上げ、前記支持部材を前記鍵盤部の前部と前記楽器用フレームの前部上部とに係止することで、前記鍵盤部の後端部が前記楽器用フレームの後部上部に支持されると共に、前記鍵盤部の前部が前記支持部材を介して前記楽器用フレームの前部に支持されるようにし、前記鍵盤部と前記メイン回路部との間に生じる開口から、前記メイン回路部の保守点検を可能としたことを特徴とする電子鍵盤楽器。
【発明の詳細な説明】
【技術分野】
【０００１】
本発明は、メイン回路部及び鍵盤部を有する電子鍵盤楽器に関する。
【背景技術】
【０００２】
一般に、電子鍵盤楽器には、鍵盤部のほか、楽音形成回路、制御回路及び各種電気部品等が含まれるメイン回路部が備えられる。メイン回路部は、電子鍵盤楽器の納品後においてメンテナンスが必要となる場合がある。そこで、下記特許文献１では、メイン回路部を鍵盤部の後方において操作パネルの下方に配置し、該操作パネルを回動させて開けることで、メイン回路部の保守点検作業を行えるようにしている。
【特許文献１】特開昭５７−１９７９３号公報
【発明の開示】
【発明が解決しようとする課題】
【０００３】
しかしながら、メイン回路部のメンテナンスのしやすさを確保することで、メイン回路部の配置位置に制約を受け、限られた狭い範囲でしかメイン回路部を配置することができないという不都合が生じる。例えば、鍵盤部の下方にメイン回路部を配置したとすると、操作パネルの開閉だけではメンテナンス容易な状態にすることが困難である。
【０００４】
本発明は上記従来技術の問題を解決するためになされたものであり、その目的は、メイン回路部の配置の自由度を確保しつつメイン回路部の保守点検作業を容易にすることができる電子鍵盤楽器を提供することにある。
【課題を解決するための手段】
【０００５】
上記目的を達成するために本発明の請求項１の電子鍵盤楽器は、メイン回路部（４０）と、該メイン回路部とは別体で構成された鍵盤部（４１）とを積層または並設して成る鍵盤ユニット（ＫＢ）と、前記鍵盤ユニットを保持する楽器用フレーム（ＦＡＳ）と、支持部材（４４）とを有し、前記楽器用フレームに保持された前記鍵盤ユニットのうち前記鍵盤部の前部（４１ｂ）を持ち上げ、前記支持部材を前記鍵盤部の前部と前記楽器用フレームの前部上部（１２Ｌ、１２Ｒ）とに係止することで、前記鍵盤部の後端部（４１ｃ）が前記楽器用フレームの後部上部（ＦＡＳａ）に支持されると共に、前記鍵盤部の前部が前記支持部材を介して前記楽器用フレームの前部に支持されるようにし、前記鍵盤部と前記メイン回路部との間に生じる開口（ＯＰ）から、前記メイン回路部の保守点検を可能としたことを特徴とする。
【０００６】
この構成によれば、楽器用フレームの後部上部と支持部材とにより、鍵盤部の前部が持ち上がった状態が維持されるので、鍵盤部とメイン回路部との間に生じる開口からメイン回路部の保守点検を容易に行うことができる。また、メイン回路部は鍵盤部の下方等の広い範囲内における任意の位置に配置可能であるので、配置の制約が少ない。
【発明の効果】
【０００７】
本発明によれば、メイン回路部の配置の自由度を確保しつつメイン回路部の保守点検作業を容易にすることができる。
【発明を実施するための最良の形態】
【０００８】
以下、本発明の実施の形態を図面を参照して説明する。
【０００９】
図１は、本発明の一実施の形態に係る電子鍵盤楽器の外観斜視図である。図２は、同電子鍵盤楽器の分解斜視図である。以降、本電子鍵盤楽器の奏者側を「前方」、奏者からみて本電子鍵盤楽器の左方、右方をそれぞれ「左方」、「右方」と呼称する。
【００１０】
図２に示すように、本電子鍵盤楽器は、フレームアセンブリＦＡＳに、鍵盤ユニットＫＢ、スピーカユニットＳＰ及びペダル鍵盤ユニットＰＫを組み付けて成る。鍵盤ユニットＫＢは、メイン回路部４０と、メイン回路部４０とは別体で構成される鍵盤部４１とで成り、メイン回路部４０の上に鍵盤部４１が重ねられて構成されている。鍵盤部４１とメイン回路部４０とは、分離及び結合が可能なように、所定箇所にてロックされている。また、鍵盤ユニットＫＢの左端部ＫＢａ１からは一体に形成される鍔部４２Ｌ、４３Ｌが、鍵盤ユニットＫＢの右端部ＫＢａ２からは一体に形成される鍔部４２Ｒ、４３Ｒが、鍵盤ユニットＫＢの本体から突出してそれぞれ延設される。
【００１１】
図３は、鍵盤ユニットＫＢの下面図である。鍵盤ユニットＫＢの左端部ＫＢａ１において、例えば、鍵盤部４１の下面にネジ穴４１ａ１が１つずつ、メイン回路部４０の下面にネジ穴４０ａ１が２つずつ設けられる。また、鍵盤ユニットＫＢの右端部ＫＢａ２において、鍵盤部４１の下面にネジ穴４１ａ２、メイン回路部４０の下面にネジ穴４０ａ２が、例えばそれぞれ２つずつ設けられる。
【００１２】
また、鍵盤部４１の前部４１ｂにおいて、鍔部４２Ｌ、４２Ｒの裏面にはそれぞれ、後述する支持棒４４を係止するための係止穴４２Ｌａ、４２Ｒａが形成されている。
【００１３】
図２に示すように、フレームアセンブリＦＡＳは、左右一対の左側フレーム体ＬＦＭと右側フレーム体ＲＦＭとを、上側連結体２０ＡＳ及び下側連結体３０ＡＳで連結固定して構成される。左側フレーム体ＬＦＭは、主として、金属製でいずれも中空の、前側支柱フレーム１１Ｌ、上前半部フレーム１２Ｌ、上後半部フレーム１３Ｌ、後側支柱フレーム１４Ｌ及び底フレーム１５Ｌが一体に形成されて構成され、側面視略５角形を呈する。なお、これらフレームの一部を別体で構成し、他のフレームに対して溶接等で固定してもよい。右側フレーム体ＲＦＭについても、前側支柱フレーム１１Ｒ、上前半部フレーム１２Ｒ、上後半部フレーム１３Ｒ、後側支柱フレーム１４Ｒ及び底フレーム１５Ｒが一体に形成され、左側フレーム体ＬＦＭと左右対称に同様に構成される。
【００１４】
上側連結体２０ＡＳ、下側連結体３０ＡＳの各左端部２０ＡＳｃ、３０ＡＳｃが左側フレーム体ＬＦＭの後側支柱フレーム１４Ｌの上部、下部にそれぞれ固定され、上側連結体２０、下側連結体３０ＡＳの各右端部２０ＡＳｄ、３０ＡＳｄが、右側フレーム体ＲＦＭの後側支柱フレーム１４Ｒの上部、下部にそれぞれ固定される。
【００１５】
左側フレーム体ＬＦＭの底フレーム１５Ｌと右側フレーム体ＲＦＭの底フレーム１５Ｒとには、内側方向に相対向してＰＫ取付部１８Ｌ、１８Ｒが設けられる。一方、ペダル鍵盤ユニットＰＫの両端部の左右対称位置には、係止部１０Ｌ、１０Ｒ（係止部１０Ｌは図示せず）が突設されている。ＰＫ取付部１８Ｌ、１８Ｒには、係止部１０Ｌ、１０Ｒを嵌合保持するための凹部ｈ１が、上方に開口して設けられており、ペダル鍵盤ユニットＰＫの係止部１０Ｌ、１０ＲをＰＫ取付部１８Ｌ、１８Ｒに係止することで、ペダル鍵盤ユニットＰＫが両フレーム体ＬＦＭ、ＲＦＭに保持される。これにより、ペダル鍵盤ユニットＰＫがフレームアセンブリＦＡＳに簡単に組み付けられる。ペダル鍵盤ユニットＰＫが組み付けられたとき、ペダル鍵盤ユニットＰＫの底部あるいは図示しない脚部の底部が、設置面（床面）Ｇ（図１参照）に対してほぼ面一となる。従って、通常、少なくとも操作時においては、ペダル鍵盤ユニットＰＫが設置面Ｇによっても保持される。
【００１６】
左側フレーム体ＬＦＭと右側フレーム体ＲＦＭにはまた、内側方向に相対向して、それぞれ左サイドカバー１６Ｌ、右サイドカバー１６Ｒが設けられる。両サイドカバー１６Ｌ、１６Ｒは、例えば、溶接により両フレーム体ＬＦＭ、ＲＦＭにそれぞれ固定される。
【００１７】
図２に示すように、左サイドカバー１６Ｌは、その下部が内側方向（右方）に屈曲し、内側方向に延びた水平部分が、鍵盤ユニットＫＢを保持するための鍵盤ユニット保持部１６Ｌａとなっている。鍵盤ユニット保持部１６Ｌａには、取り付け穴１６Ｌａａ、取り付け穴１６Ｌａｂが例えば２個ずつ設けられる。また、鍵盤ユニット保持部１６Ｌａには、段差状のステイ部材１７Ｌが取り付けられ、ステイ部材１７Ｌの、鍵盤ユニット保持部１６Ｌａから１段下がった水平部分が、スピーカユニットＳＰを保持するためのスピーカユニット保持部１７Ｌａとなっている。
【００１８】
図４は、メイン回路部４０が固定された状態を示す本電子鍵盤楽器の右側部の斜視図である。同図では、鍵盤ユニットＫＢのうち、鍵盤部４１を取り外した状態が示されている。図４に示すように、右側フレーム体ＲＦＭにおいても左側フレーム体ＬＦＭと同様に、鍵盤ユニット保持部１６Ｌａ、取り付け穴１６Ｌａａ、１６Ｌａｂと左右対称に、右サイドカバー１６Ｒに、鍵盤ユニット保持部１６Ｒａが形成されるほか、取り付け穴１６Ｒａａ、１６Ｒａｂが設けられる。さらに、スピーカユニット保持部１７Ｌａと左右対称にスピーカユニット保持部１７Ｒａ（図示省略）が設けられている。
【００１９】
また、図２に示すように、スピーカユニットＳＰの上部には天板３９が固定され、天板３９の左右両端部は鍔状に突出した被保持部３９ａ、３９ｂとなっている。これら被保持部３９ａ、３９ｂを、スピーカユニット保持部１７Ｌａ、１７Ｒａの上に載せ、下方から螺着することで、スピーカユニットＳＰがスピーカユニット保持部１７Ｌａ、１７Ｒａを介して左側フレーム体ＬＦＭ、右側フレーム体ＲＦＭに保持される。鍵盤ユニット保持部１６Ｌａ、１６Ｒａとスピーカユニット保持部１７Ｌａ、１７Ｒａとは別個の位置に設けられ、鍵盤ユニットＫＢとスピーカユニットＳＰとは、フレームアセンブリＦＡＳに対してそれぞれ個別に着脱可能である。
【００２０】
図４に示すように、メイン回路部４０には、楽音形成回路、制御回路及び各種電気部品等の「回路及び部品群４６」が備えられ、回路及び部品群４６がカバー４５で覆われている。また、上前半部フレーム１２Ｒの上面には、後述する支持棒４４を係止するための係止穴１２Ｒａが形成されている。上前半部フレーム１２Ｌにおいても、係止穴１２Ｒａと左右対称位置に、係止穴１２Ｌａが形成されている（図示せず）。
【００２１】
右側フレーム体ＲＦＭにはＬ字金具４７Ｒが含まれる。Ｌ字金具４７Ｒは、そのＬ字状の１片が後側支柱フレーム１４Ｒ上部の内側面（左側面）にネジ止め等で固定されている。左側フレーム体ＬＦＭの後側支柱フレーム１４Ｌ上部の内側面にも、Ｌ字金具４７Ｒと左右対称に構成されるＬ字金具４７Ｌが、左右対称位置に同様に固定される（図６参照）。
【００２２】
鍵盤ユニットＫＢのネジ穴４１ａ１、４０ａ１、４１ａ２、４０ａ２（図３参照）は、それぞれ、鍵盤ユニット保持部１６Ｌａの取り付け穴１６Ｌａａ、１６Ｌａｂ、鍵盤ユニット保持部１６Ｒａの取り付け穴１６Ｒａａ、１６Ｒａｂに対応する。これら対応するもの同士の位置を合わせてネジ止めすることで、鍵盤ユニットＫＢが鍵盤ユニット保持部１６Ｌａ、１６Ｒａを介して左側フレーム体ＬＦＭ、右側フレーム体ＲＦＭに保持される。
【００２３】
鍵盤ユニットＫＢの鍔部４２Ｌ、４３Ｌ、及び鍔部４２Ｒ、４３Ｒは、側面視において、左側フレーム体ＬＦＭの上前半部フレーム１２Ｌ、上後半部フレーム１３Ｌ、及び右側フレーム体ＲＦＭの上前半部フレーム１２Ｒ、上後半部フレーム１３Ｒに対応する形状を有し、鍵盤ユニットＫＢがフレームアセンブリＦＡＳに保持されたとき、鍔部４２Ｌ、４３Ｌ、４２Ｒ、４３Ｒとフレーム１２Ｌ、１３Ｌ、１２Ｒ、１３Ｒとの間に僅かな間隙が生じるようになっている。すなわち、鍵盤ユニットＫＢは鍵盤ユニット保持部１６Ｌａ、１６Ｒａで保持され、樹脂で構成される鍔部４２Ｌ、４３Ｌ、４２Ｒ、４３Ｒは、腕木に相当する部分のカバーに過ぎない。
【００２４】
端子付きコードＣ１は、メイン回路部４０とペダル鍵盤ユニットＰＫとを電気的に接続し、端子付きコードＣ２は、メイン回路部４０と鍵盤部４１とを電気的に接続する。
【００２５】
かかる構成において、メイン回路部４０の保守点検は、次のようにしてなされる。
【００２６】
図５は、鍵盤部４１を開けた状態を示す本電子鍵盤楽器の右側面図である。図６は、本電子鍵盤楽器の後部上部を示す図５の部分拡大図である。
【００２７】
まず、鍵盤部４１を螺着している、鍵盤ユニット保持部１６Ｌａ、１６Ｒａの取り付け穴１６Ｌａａ、１６Ｒａａに螺合されている不図示のネジを外すと共に、鍵盤部４１とメイン回路部４０とのロックを、不図示のネジを外すことで解除する。この状態では、接続配線を除き、鍵盤部４１は、メイン回路部４０に対して物理的に分離可能な状態となる。
【００２８】
次に、鍵盤部４１の前部４１ｂを持ち上げて開け、前部４１ｂを２本の支持棒４４で上前半部フレーム１２Ｌ、１２Ｒに支持させる。すなわち、支持棒４４の１本を、上前半部フレーム１２Ｒの係止穴１２Ｒａ（図４参照）と鍵盤部４１の鍔部４２Ｒの係止穴４２Ｒａ（図３参照）とに係止すると共に、支持棒４４の他の１本を、上前半部フレーム１２Ｌの上記不図示の係止穴１２Ｌａと鍵盤部４１の鍔部４２Ｌの係止穴４２Ｌａ（図３参照）とに係止する。
【００２９】
このとき、鍵盤部４１の後端部４１ｃは、フレームアセンブリＦＡＳの後部上部ＦＡＳａに実質的に支持される。すなわち、図６に示すように、鍵盤部４１の後端面４１ｃａが、Ｌ字金具４７Ｌ、４７Ｒの後部上端部４７Ｌａ、４７Ｒａ（図４も参照）に対して、当接点Ｐ１で当接係合する。この状態においては、通常、鍔部４３Ｒの下面４３Ｒａが、右側フレーム体ＲＦＭの後部上端部ＲＦＭａ（図４も参照）の点Ｐ２に近接する。鍔部４３Ｌの下面についても、鍔部４３Ｒの場合と同様に、左側フレーム体ＬＦＭの後部上端部の点Ｐ２に近接する（図示せず）。従って、支持棒４４とフレームアセンブリＦＡＳの後部上部ＦＡＳａの当接点Ｐ１とで、鍵盤部４１の前部４１ｂが持ち上がった状態が安定的に維持される。
【００３０】
そして、鍵盤部４１とメイン回路部４０との間に生じる開口ＯＰから、メイン回路部４０が臨めるので、カバー４５を開けて、メイン回路部４０内の回路及び部品群４６の保守点検を行うことができる。
【００３１】
特に、電源を入れた状態であってもメンテナンスが可能である点は有利である。すなわち、端子付きコードＣ１、Ｃ２によって、メイン回路部４０に対してペダル鍵盤ユニットＰＫ、鍵盤部４１を各々独自に分離、結合可能であるが、鍵盤部４１を持ち上げる際、端子付きコードＣ１、Ｃ２の抜き差しを行う必要はないので、これらの接続状態を維持しつつメンテナンスを行うこともできる。
【００３２】
本実施の形態によれば、フレームアセンブリＦＡＳの後部上部ＦＡＳａと支持棒４４とにより、鍵盤部４１の前部４１ｂを持ち上げた状態で維持し、メイン回路部４０を臨めるようにしたので、メイン回路部４０の保守点検を容易に行うことができる。しかも、メイン回路部４０は、鍵盤部４１の下方の広い範囲内における任意の位置に配置可能であるので、配置の制約が少なく、配置の自由度を確保することができる。
【００３３】
なお、スピーカユニットＳＰやペダル鍵盤ユニットＰＫについては、これらを当初から設けない電子鍵盤楽器についても本発明を適用可能である。
【００３４】
なお、メイン回路部４０の保守点検を容易に行うという観点からは、必ずしもメイン回路部４０が鍵盤部４１の下方に配置される構成に限定されず、次に変形例を示すように、両者が例えば前後方向に並設される構成であってもよい。
【００３５】
図７は、本実施の形態の変形例の電子鍵盤楽器の鍵盤部を開けた状態を示す後部上部の右側面の模式図である。この変形例では、鍵盤ユニットの構成のみが異なり、フレームアセンブリＦＡＳや支持棒４４等、その他の構成は同一である。
【００３６】
同図に示すように、上記鍵盤部４１に相当する鍵盤部４１’は、上記鍔部４２Ｒと同様に構成される鍔部４２Ｒ’の前半部下部に、鍵盤等の鍵盤部主要部４１’Ｍが集中して配置される。一方、上記メイン回路部４０に相当するメイン回路部４０’が、鍵盤部４１’が閉じられたとき、鍵盤部主要部４１’Ｍの後方に並列的に位置するようにフレームアセンブリＦＡＳに配置される。
【００３７】
かかる構成において、鍵盤部４１’を持ち上げた状態で維持すれば、上記と同様にメイン回路部４０’を前方上方から臨めるので、メイン回路部４０’の保守点検を容易に行うことができる。また、メイン回路部４０’は、鍵盤部４１’の後方の広い範囲内における任意の位置に配置可能であるので、配置の制約が少なく、配置の自由度を確保することができる。
【図面の簡単な説明】
【００３８】
【図１】本発明の一実施の形態に係る電子鍵盤楽器の外観斜視図である。
【図２】同電子鍵盤楽器の分解斜視図である。
【図３】鍵盤ユニットの下面図である。
【図４】メイン回路部が固定された状態を示す本電子鍵盤楽器の右側部の斜視図である。
【図５】鍵盤部を開けた状態を示す本電子鍵盤楽器の右側面図である。
【図６】本電子鍵盤楽器の後部上部を示す図５の部分拡大図である。
【図７】本実施の形態の変形例の電子鍵盤楽器の鍵盤部を開けた状態を示す後部上部の右側面の模式図である。
【符号の説明】
【００３９】
１２Ｌ  上前半部フレーム（楽器用フレームの前部上部）、  １２Ｌａ  係止穴、  １２Ｒ  上前半部フレーム（楽器用フレームの前部上部）、  １２Ｒａ  係止穴、  ４０  メイン回路部、  ４１  鍵盤部、  ４１ｂ  前部、  ４１ｃ  後端部、  ４１ｃａ  後端面、  ４２Ｌ、４３Ｌ、４２Ｒ、４３Ｒ  鍔部、  ４２Ｌａ、４２Ｒａ  係止穴、  ４４  支持棒（支持部材）、  ４７Ｌ、４７Ｒ  Ｌ字金具、  ＫＢ  鍵盤ユニット、  ＦＡＳ  フレームアセンブリ（楽器用フレーム）、  ＦＡＳａ  後部上部、  ＬＦＭ  左側フレーム体、  ＲＦＭ  右側フレーム体、  ＲＦＭａ  後部上端部、  ＯＰ  開口、  Ｐ１  当接点
【図１】
2005099444.tif 000003
【図２】
2005099444.tif 000004
【図３】
2005099444.tif 000005
【図４】
2005099444.tif 000006
【図５】
2005099444.tif 000007
【図６】
2005099444.tif 000008
【図７】
2005099444.tif 000009